(57)【要約】  【課題】収納機能を有する筐体を組み合わせることによって新たな機能を付与することができるようにした新規有用な収納システムを提供する。  【解決手段】前面に収納空間Ｓを開口させてなる筐体１、１０を上下に増連し、これら筐体１、１０の前方へ突出した位置に、両筐体１、１０に跨った状態でシステム引き戸２０を移動可能に取り付けて収納システムを構成することとした。  【選択図】図１
2005270563.tif 000002
【特許請求の範囲】
【請求項１】
前面に収納空間を開口させてなる筐体を上下及び／又は左右に増連し、これら筐体の前方へ突出した位置に、複数の筐体に跨った状態でシステム引き戸を移動可能に取り付けてなることを特徴とする収納システム。
【請求項２】
各筐体が、単位引き戸の上部及び下部を支持する支持機構を備えたものであり、筐体を上下に増連した状態で、システム引き戸の上部を上側の筐体の対応する支持機構に支持させ、下部を下側の筐体の対応する支持機構に支持させている請求項１記載の収納システム。
【請求項３】
システム引き戸の上部と下部の間に中間部を設定し、この中間部を上側の筐体又は下側の筐体の対応する支持機構に支持させている請求項２記載の収納システム。
【請求項４】
各筐体が、単位引き戸の上部及び下部を支持する支持機構を備えたものであり、筐体を左右に増連した状態で、単位引き戸又はシステム引き戸の上部及び下部をそれぞれ筐体間の境界を越えて移動し得るように左右の筐体の対応する支持機構に支持させている請求項１〜３記載の収納システム。
【請求項５】
引き戸の上部に対する支持機構が、筐体の外部から視認し得ない位置にレールを形成して移動体を配置し、その移動体から筐体の前方に引き戸の上部を支持する支持要素を持ち出したものである請求項２〜４記載の収納システム。
【請求項６】
引き戸の下部を支持する支持機構が、筐体の外部から視認し得ない位置に後向面を形成する一方、引き戸の下部に前記後向面に臨む部位まで延出する延出部を設け、この延出部に、前記後向面に係り合うガイド部材を取り付けたものである請求項２〜４記載の収納システム。
【請求項７】
単位引き戸の外形寸法が、筐体の幅寸法内及び高さ寸法内に収まる値に設定されている請求項１〜６記載の収納システム。
【請求項８】
各筐体は、縦仕切り及び／又は横仕切りを備え、これらの仕切りの前面が筐体の前面と略面一となるように設定されたものであり、増連した際の各筐体の頂壁、底壁或いは側壁の一部が、システムの外郭を新たな筐体とみたときの当該筐体と前面を略面一とする縦仕切り或いは横仕切りを構成するものである請求項１〜７記載の収納システム。
【発明の詳細な説明】
【技術分野】
【０００１】
本発明は、オフィス等において好適に使用される収納システムに関するものである。
【背景技術】
【０００２】
従来より、引き戸を備えた収納家具として、例えば特許文献１〜３に示されるものが知られている。特許文献１のものは、筐体の上框及び下框に掘り込みによりレールを設け、このレールに引き戸を引き違い可能に配置したものである。特許文献２のものは、筐体の上框及び下框から前方へ突出した位置にレール構造体を取り付け、このレール構造体に引き戸を引き違い可能に配置したものである。特許文献３のものは、筐体の框の前方に一部にレール構造を有した枠体を取り付け、この枠体に引き戸を引き違い可能に配置したものである。
【特許文献１】特開２０００−２６２３３４公報
【特許文献２】特開２００１−２２７２４９号公報
【特許文献３】実用新案登録第２５７０２２９号
【発明の開示】
【発明が解決しようとする課題】
【０００３】
ところで、近時における家具開発の一つの動向として、システム化の流れがある。これは、個々の収納家具の外形寸法をモジュール化し、同種又は異種の収納家具を様々に組み合わせることによって、目的・用途に応じ特定の機能が集合したシステム家具を構築できるようにしたものである。
【０００４】
例えば、上記特許文献のような従来の収納家具でも、外形寸法さえ揃えれば、上下左右に組み合わせることによって収納機能の集合したバリエーションのシステムを構成することは可能である。
【０００５】
しかしながら、かかる特許文献の構造は、何れも引き戸が各筐体の外形範囲内で作動するのみであるから、単にこのような収納家具を上下左右に増連したとしても、個々の収納家具単位で収納空間が引き戸によって開閉されるに過ぎず、これのみによって各収納家具が有する機能の総和以上の新たな機能が生じるわけではない。
【０００６】
本発明は、このような実情に鑑みてなされたものであって、収納機能を有する筐体を組み合わせることによって新たな機能を付与することができるようにした新規有用な収納システムを提供することを目的としている。
【課題を解決するための手段】
【０００７】
本発明は、かかる目的を達成するために、次のような手段を講じたものである。
【０００８】
すなわち、本発明の収納システムは、前面に収納空間を開口させてなる筐体を上下及び／又は左右に増連し、これら筐体の前方へ突出した位置に、複数の筐体に跨った状態でシステム引き戸を移動可能に取り付けてなることを特徴とする。
【０００９】
各筐体の前方へ突出した位置にシステム引き戸を配置するようにすれば、筐体の框等によってシステム引き戸の配置が限定されるようなことがなくなるので、複数の筐体が集合することによって拡張された収納空間のどの部位をどのような範囲に亘ってシステム引き戸により閉止するかは、基本的に自由となる。このため、多様なバリエーションの下に収納機能を追求することが可能となる。
【００１０】
具体的な実施の一態様としては、各筐体が、単位引き戸の上部及び下部を支持する支持機構を備え、筐体を上下に増連した状態で、システム引き戸の上部を上側の筐体の対応する支持機構に支持させ、下部を下側の筐体の対応する支持機構に支持させるようにしたものが挙げられる。
【００１１】
この場合、システム引き戸の上部と下部の間に中間部を設定し、この中間部を上側の筐体又は下側の筐体の対応する支持機構に支持させることも好適となる。
【００１２】
或いは、具体的な実施の他の態様として、各筐体が、単位引き戸の上部及び下部を支持する支持機構を備え、筐体を左右に増連した状態で、単位引き戸又はシステム引き戸の上部及び下部をそれぞれ筐体間の境界を越えて移動し得るように左右の筐体の対応する支持機構に支持させるようにしたものが挙げられる。
【００１３】
引き戸の上部に対する支持機構の具体的な実施の態様としては、筐体の外部から視認し得ない位置にレールを形成して移動体を配置し、その移動体から筐体の前方に引き戸の上部を支持する支持要素を持ち出したものが挙げられる。
【００１４】
また、引き戸の下部を支持する支持機構の具体的な実施の態様としては、筐体の外部から視認し得ない位置に後向面を形成する一方、引き戸の下部に前記後向面に臨む部位まで延出する延出部を設け、この延出部に、前記後向面に係り合うガイド部材を取り付けているものが挙げられる。
【００１５】
筐体を上下左右に増連しても単位引き戸を移動可能に配設する機能を担保するためには、単位引き戸の外形寸法が、筐体の幅寸法内及び高さ寸法内に収まる値に設定されていることが有効となる。
【００１６】
この収納システムを、個々の収納家具と同様の見栄えや使い勝手とするためには、各筐体に、縦仕切り及び／又は横仕切りを備え、これらの仕切りの前面が筐体の前面と略面一となるように設定して、増連した際の各筐体の頂壁、底壁或いは側壁の一部が、システムの外郭を新たな筐体とみたときの当該筐体と前面を略面一とする縦仕切り或いは横仕切りを構成するようにしておくことが好適である。
【発明の効果】
【００１７】
本発明は、以上のような構成であるから、収納機能を有する筐体を上下、左右に増連し、個々の筐体を越えてシステム引き戸を取り付けることができるので、増連のさせ方やシステム引き戸の大きさ、配設位置を適宜選択することによって、個々の収納機能にない新たな収納機能をシステム全体に有効に追求することが可能となる。
【発明を実施するための最良の形態】
【００１８】
以下、本発明の一実施形態を、図面を参照して説明する。
【００１９】
図１に示す収納システムは、通常は単位引き戸２を取り付けて図２に示す単体の収納家具を構成する筐体１の上に、単位引き戸２を一部取り除いた状態で他の略同様の構造からなる収納家具を構成する筐体１０を増連し、これら両筐体１、１０にまたがるようにシステム引き戸２０を取り付けたものである。
【００２０】
以下、先ず単体の収納家具の構造について説明する。筐体１は、図２に示すように、頂壁１１、底壁１２、左右の側壁１３及び背壁１４を相互に接続し前面に開口１５を設けたもので、頂壁１１の前縁を下方に折り返して上框１ａを構成し、底壁１２の前縁を下方に折り返して下框１ｂを構成している。頂壁１１の下面には、図３に示すように上框１ａと平行に延びる補強桟１６が位置しており、収納空間を区画する縦仕切り１７はこの補強桟１６に後述する態様によって接続されている。図１又は図２に示す下框１ｂの後下方には幅木１２ａが位置しており、下框１ｂは床から嵩上げした状態に配置されている。
【００２１】
縦仕切り１７の前面１７ｘと筐体１の前面１ｘは、図２〜図４に示すように面一に設定され、オープン収納家具として使用する際の外観が確保されている。縦仕切り１７は、頂壁１１の下面から底壁１２の上面に亘って配置され、側壁１３との間、或いは他の側壁１３との間に棚板１８を配設することが可能な収納空間Ｓを形成している。具体的には、縦仕切り１７は前端側を角パイプ状に折り曲げることによって拡幅部１７ａを形成したもので、この拡幅部１７ａの後向面１７ｙに棚爪を係合させるフック孔を形成している。棚板１８は、このフック孔と、背壁１４の補強部１４ａの対応位置に設けたフック孔との間に棚爪を介して架設される。背壁１４の補強部１４ａは、板金素材を塑性変形加工することによって面板部に一体成形されたものである。
【００２２】
そして、この収納家具は、縦仕切り１７を越えて単位引き戸２を幅方向へ移動させるための上下の支持機構Ｙ１、Ｙ２を筐体１の一部に備えている。
【００２３】
上部支持機構Ｙ１は、図３、図５及び図６等に示すように、筐体１を構成する上框１ａに外部から視認し得ない状態で形成したレール１１１と、このレール１１１と平行をなすように縦仕切り１７と上框１ａの間に形成したスリット１１２とを具備し、レール１１１からスリット１１２までの間を空間的に連通させて、基端をレール１１１に支持させた支持要素３の先端を筐体１の前方に持ち出したものである。
【００２４】
レール１１１は、前記上框１ａの構造を利用したチャネル状のもので、当該チャネルのうち内側の起立壁１１１ａを外側の起立壁１１１ｂよりも低く形成して、当該内側の起立壁１１１ａと頂壁１１の間に支持要素３を持ち出すための隙間ｄを形成している。
【００２５】
一方、支持要素３は、ブラケット３１の内側の立片３１ａに移動体であるローラ３２を水平軸３３回りに２個取り付けたもので、ローラ３２を前記レール１１１に配置した状態で、水平片３１ｂを介して連設した外側の立片３１ｃを前記隙間ｄから筐体１の前方に持ち出している。そして、図７に示すように、その外側の立片３１ｃと単位引き戸２との間に形成される係止部４によって、単位引き戸２をブラケット３１に懸吊支持するようにしている。係止部４は、外側の立片３１ｃに形成したダルマ状孔４１と、単位引き戸２の裏面の対応箇所に若干の余裕を残して捩じ込んだねじ４２とを具備するもので、ねじ４２をダルマ状孔４１に挿通して重力により降下させることで、ねじ４２の首部をダルマ状孔４１の大径部から小径部に移行させて係止するものである。
【００２６】
なお、レール１１１の内側の起立壁１１１ａと頂壁１１との隙間ｄはローラ３２を挿脱させるほど大きくはない。そこで、当該レール１１１にローラ３２を挿脱させるために、当該レール１１１の内側の起立壁１１１ａの上縁付近に図６に示すような挿脱部１１１ａｘを図外の部位を含めて２箇所に凹設している。この挿脱部１１１ａｘのピッチは前記ローラ３２のピッチと異ならせてある。挿脱部１１１ａｘは１箇所のみであってもよい。
【００２７】
スリット１１２は、縦仕切り１７の前方に切欠１７ｂを設けることによって当該切欠１７ｂと上框１ａの間に形成したもので、切欠１７ｂの奥方において、縦仕切り１７の上端を上框１ａ付近の強度部、すなわち前記補強桟１６に溶接等の継手ｚを介して接続している。このスリット１１２の上下開口幅はブラケット３１の水平片３１ｂの肉厚寸法よりも若干大きく設定され、このスリット１１２を当該水平片３１ｂが通過することによって、支持要素３は縦仕切り１７によって区画された左側の収納空間Ｓの前方位置と右側の収納空間Ｓの前方位置との間で移動可能とされる。
【００２８】
単位引き戸２は、正面視において筐体１の幅寸法内及び高さ寸法内に収まる外形寸法のもの、より具体的には、縦仕切り１７同士あるいは縦仕切り１７と側壁１３とによって３つに区画された各収納空間Ｓを閉止する幅寸法に設定されているもので、幅方向に沿って各収納空間Ｓを選択的に閉止する位置に移動可能とされる。単位引き戸２の外形が筐体１とこのような関係にあることにより、この収納家具を上下左右に増連しても各収納家具の単位引き戸２を支障なく作動させることが可能である。
【００２９】
さらに、下部支持機構Ｙ２は、筐体１を構成する下框１ｂに、図５及び図８に示すように外部から視認し得ない状態で後向面１２ｂを形成しており、対する単位引き戸２の下端側に、その裏面から前記後向面１２ｂに臨む部位に延出する延出部２１をブラケット２１０を利用して配置するようにしている。この延出部２１には鉛直軸回りに回転可能なガイド部材たるフォロア２２が付帯している。具体的には、単位引き戸２をレール１１１に懸吊支持させた後、ブラケット２１０を引き戸２の横から差し込んで裏面にビスを用いて取り付けることによって、フォロア２２を前記後向面１２ｂと幅木１２ａの前面との間に配置し、これにより当該フォロア２２を後向面１２ｂや幅木１２ａに添接させて単位引き戸２をガイドするようにしている。図において符号５で示すものは樹脂製の戸当たり部材である。
【００３０】
すなわち、本実施形態の収納家具は、幅方向に分割され縦仕切り１７を介して隣接する隣の収納空間Ｓに縦仕切り１７を越えて単位引き戸２を移動させることができ、再び元の収納空間Ｓの前面に引き戻すことも可能なものである。また、必要に応じ再度単位引き戸２を筐体１から撤去すれば、オープン収納家具として利用することも可能である。
【００３１】
以上は、上側の収納家具についても同様である。
【００３２】
そして、本実施形態は、このような収納家具の筐体１、１０を上下に増連し、これら筐体の前方へ突出した位置に、上下の筐体１、１０に跨った状態でシステム引き戸２０を移動可能に取り付けている。
【００３３】
すなわち、筐体１、１０は、上述したように単位引き戸２の上部及び下部を支持する上下の支持機構Ｙ１、Ｙ２を備えているため、筐体１を上下に増連した状態で、システム引き戸２０の上部を上側の筐体１０の上部支持機構Ｙ１に支持させ、下部を下側の筐体１の下部支持機構Ｙ２に支持させることが可能となっている。
【００３４】
システム引き戸２０には、支持要素３を構成するブラケット３１に係り合わせるための図７に示したと同様のねじ４２が上部近傍の背面に突設してあり、また、後向面１２ｂに添接させるためのフォロア２２が下部近傍の背面にブラケットを介して取り付けてある。
【００３５】
このシステム引き戸２０の幅寸法は単位引き戸２の幅寸法に等しくなるように設定され、上下寸法は上下の筐体１の上下寸法を加算した値よりも若干小さい値となるように設定されている。これによりシステム引き戸２０は、上下の筐体１０、１に跨って配置され、下側に配置される筐体１の収納空間Ｓと、上側に配置される筐体１０の収納空間Ｓとを同時に開閉する機能を新たに備える。
【００３６】
また、図９は、上記の筐体１を左右に増連し、これら筐体１の前方へ突出した位置に、左右の筐体１、１に跨った状態でシステム引き戸２００を移動可能に取り付けて収納システムを構成した例である。
【００３７】
すなわち、筐体１は、上述したように単位引き戸２の上部及び下部を支持する上下の支持機構Ｙ１、Ｙ２を備えているため、筐体１を左右に増連した状態で、システム引き戸２００の上部及び下部をそれぞれ筐体１、１間の境界Ｐを越えて移動し得るように左右の筐体１、１の対応する支持機構Ｙ１、Ｙ２に支持させることが可能となっている。
【００３８】
具体的には、筐体１を左右に増連した状態で支持機構Ｙ１のレール１１１が筐体１、１間の境界Ｐを越えて連続するように、レール１１１は各筐体１の側壁１３の端面に合致する位置にまで延びている。そして、上框１ａと側壁１３の間には、前記スリット１１２と同様のスリット１１２ｘが開口している。また、筐体１を左右に増連した状態で各々の後向面１２ｂが側壁１３を越えて連続するように、後向面１２ｂは各筐体１の側壁１３の端面に合致する位置にまで延びている。
【００３９】
図示のシステム引き戸２００は、例えば単位引き戸２と同一の高さ寸法、単位引き戸２の２枚分の幅寸法となるように設定されている。但し、幅寸法等はこれに限るものではない。
【００４０】
これら図１或いは図９のシステム例より明らかなように、本実施形態の収納システムは、前面に収納空間Ｓを開口させてなる筐体１，１０等を上下及び／又は左右に増連し、これら筐体１の前方へ突出した位置に、複数の筐体１、１０等に跨った状態でシステム引き戸２９を移動可能に取り付けたものである。
【００４１】
すなわち、各筐体１、１０の前方へ突出した位置にシステム引き戸２０、２００を配置するようにすれば、筐体１の框１ａ、１ｂによってシステム引き戸２０、２００の配置が限定されるようなことはない。このため、筐体１、１０が上下左右に複数集合することによって拡張された収納空間Ｓのどの部位をどのような範囲に亘ってシステム引き戸２０、２００で閉止するかは基本的に利用者の自由に委ねられる。よって、多様なバリエーションの下にこの収納システムを有効に活用することが可能となる。
【００４２】
具体的な構造として、各筐体１、１０等が、単位引き戸２の上部及び下部を支持する支持機構Ｙ１、Ｙ２を備えているため、筐体１、１０等を図１のように上下に増連した状態で、システム引き戸２０の上部を上側の筐体１０の対応する上部支持機構Ｙ１に支持させ、下部を下側の筐体１の対応する下部支持機構Ｙ２に支持させる態様は勿論のこと、積み重ねた状態であっても図示のように下側の筐体１に単位引き戸２をそのまま取り付けて使用する等の態様も可能となり、別途新たな支持構造を持ち込むことなく引き戸２、２０の選択的な利用を図ることが可能になる。
【００４３】
また、筐体１が、単位引き戸２の上部及び下部を支持する支持機構Ｙ１、Ｙ２を備え、筐体１を図９に示すように左右に増連した状態で、単位引き戸２やシステム引き戸２００の上部及び下部をそれぞれ筐体１、１間の境界を越えて移動させることができるため、別途新たな支持構造を持ち込むことなく引き戸２、２００の選択的な利用、幅広い作動範囲に亘る活用を有効に図ることが可能になる。
【００４４】
特に、上部支持機構Ｙ１の具体的な構造が、筐体１、１０等の上框１ａを利用して外部から視認し得ない位置にレール１１１を形成して移動体たるローラ３２を配置し、そのローラ３２から筐体１、１０等の前方に引き戸２等の上部を支持する支持要素３１を持ち出しているので、引き戸２、２０、２００等が存在しない部位における筐体１、１０等の見栄えや、引き戸２、２０、２００等を撤去してオープン収納家具として使用する際の見栄えも有効に確保することができる。
【００４５】
また、下部支持機構Ｙ２の具体的な構造が、筐体１等の外部から視認し得ない位置に後向面１２ｂを形成する一方、引き戸２、２０、２００等の下部に前記後向面１２ｂに臨む部位まで延出する延出部２１を設け、この延出部２１に、前記後向面１２ｂに係り合うガイド部材たるフォロア２２を取り付けているので、上記上部支持機構Ｙ１と同様の外観向上効果が奏される。
【００４６】
以上において、上下左右に増連しても単位引き戸２を移動可能に配設する機能は、単位引き戸２の外形寸法が筐体１、１０の幅寸法内及び高さ寸法内に収まる値に設定されていることで実効が担保されているものである。
【００４７】
さらに、各筐体１、１０は縦仕切り１７を備え、この縦仕切り１７の前面は筐体１、１０の前面と略面一となるように設定されているが、増連した際の各筐体１、１０の頂壁１１、底壁１２或いは側壁１３の一部は、システムの外郭を新たな筐体とみたときの当該筐体と前面を略面一とする縦仕切りを構成するものである。このため、この収納システムと個々の収納家具との間で見栄えや使い勝手の統一感を図ることができる。このような効果は、筐体１、１０等に図１０に示すような横仕切りがある場合にも同様である。
【００４８】
なお、各部の具体的な構成は、上述した実施形態のみに限定されるものではない。
【００４９】
例えば、上記図１０に示すように、筐体１００の上框１ａと下框１ｂの間に固定棚等のような横仕切り１９が存在するような場合には、この横仕切り１９に上部支持機構Ｙ１や下部支持機構Ｙ２を仕込むことも有効である。これによれば、より多彩なバリエーションでシステム引き戸２Ｘ等の取り付けができるようになる。
【００５０】
また、図１１に示すように、システム引き戸２Ｙの上部と下部の間に中間部を設定し、この中間部を対応位置にある上部支持機構Ｙ１に支持させることも好適である。システム引き戸２Ｙが大型になると中間部がバタつくおそれがあるが、このような中間支持構造を採用すれば、システム引き戸２Ｙの安定した作動を確保することができる。
【００５１】
その他の構成も、本発明の趣旨を逸脱しない範囲で種々変形が可能である。
【図面の簡単な説明】
【００５２】
【図１】本発明の一実施形態に係る収納システムを示す全体斜視図。
【図２】同実施形態に対応した単位収納家具を示す全体斜視図。
【図３】図２の要部拡大斜視図。
【図４】同実施形態の模式的な平断面図。
【図５】同実施形態の模式的な縦断面図。
【図６】同実施形態を図３とは異なる方向から見た要部拡大斜視図。
【図７】同実施形態を構成する引き戸の背面上部構成を示す斜視図。
【図８】同実施形態を構成する引き戸の背面下部構成を示す斜視図。
【図９】収納システムの変形例を示す図。
【図１０】同実施形態に係る収納システムの他の構成例を示す図。
【図１１】同実施形態に係る収納システムの他の構造を示す図。
【符号の説明】
【００５３】
１、１０、１００…筐体
２…単位引き戸
３…支持要素
１２ｂ…後向面
２０、２００、２Ｘ、２Ｙ…システム引き戸
２１…延出部
２２…ガイド部材（フォロア）
３２…移動体（ローラ）
１１１…レール
Ｙ１…上部支持機構
Ｙ２…下部支持機構
【図１】
2005270563.tif 000003
【図２】
2005270563.tif 000004
【図３】
2005270563.tif 000005
【図４】
2005270563.tif 000006
【図５】
2005270563.tif 000007
【図６】
2005270563.tif 000008
【図７】
2005270563.tif 000009
【図８】
2005270563.tif 000010
【図９】
2005270563.tif 000011
【図１０】
2005270563.tif 000012
【図１１】
2005270563.tif 000013